(57)【要約】【課題】施工用資材の保管、搬送の際の占有スペースの削減及び重量の分散化を図ることができ、施工作業も容易な空調用チャンバー及び空調用チャンバー施工方法を提供する。【解決手段】空調用チャンバー１００は、建物内に設けられたグリッド天井の上方に設置されるものであり、少なくとも一つの開口面１１を有する箱体状の本体部１０と、本体部１０の正面１０ｆ及び左右両側面１０ｓ、１０ｓに開設された複数のダクト連結口１２，１３と、開口面１１を気密状に閉塞可能な平板状の閉塞部材２０と、を備えている。本体部１０の開口面１１を閉塞部材２０で閉塞し、周縁部１４と閉塞部材２０とが重なり合った部分を複数のクリップ部材３０で挟持することによって本体部１０と閉塞部材２０とが一体化されている。本体部１０の周縁部１４と閉塞部材２０との間には気密保持のためのガスケットやパッキンなどのシール材が介在されている。【選択図】図２
2018136072.tif 000002
【特許請求の範囲】
【請求項１】
建物内に設けられたグリッド天井の上方に設置される空調用チャンバーであって、
少なくとも一つの開口面を有する箱体状の本体部若しくは前記本体部を展開した平板状の本体部材と、
前記本体部に開設された複数のダクト連結口と、
前記開口面を気密状に閉塞可能な平板状の閉塞部材と、を備えた空調用チャンバー。
【請求項２】
前記本体部若しくは前記本体部材を組み立てて形成された本体部と、前記閉塞部材と、を接合する接合手段を設けた請求項１記載の空調用チャンバー。
【請求項３】
前記接合手段が、クリップ部材、クランプ部材、接着剤若しくは粘着剤である請求項２記載の空調用チャンバー。
【請求項４】
前記本体部若しくは前記本体部材を組み立てて形成された本体部が、角錐台形状若しくは円錐台形状である請求項１〜３の何れかに記載の空調用チャンバー。
【請求項５】
前記本体部及び前記本体部材が、不燃性を有するダンボール材、グラスウール材若しくは発泡合成樹脂材を含むものである請求項１〜４の何れかに記載の空調用チャンバー。
【請求項６】
前記グリッド天井を構成する一つの格子領域内を前記空調用チャンバーが通過可能であって、
前記グリッド天井の上方に配置された前記空調用チャンバーが、
前記グリッド天井を構成するＴバー材に対し、前記空調用チャンバーの一部を当接させた状態で載置可能である請求項１〜５の何れかに記載の空調用チャンバー。
【請求項７】
前記グリッド天井を構成する一つの格子領域内を前記空調用チャンバーが通過可能であって、
前記グリッド天井の上方に配置された前記空調用チャンバーが、
前記グリッド天井を構成するＴバー材に対し、所定の係止手段を介して取り付け可能である請求項１〜６の何れかに記載の空調用チャンバー。
【請求項８】
前記係止手段が、
前記Ｔバー材と前記空調用チャンバーの本体部との間に配置され、
前記空調用チャンバーを前記Ｔバー材に向かって押圧保持する弾性部材である請求項７記載の空調用チャンバー。
【請求項９】
前記係止手段が、
前記本体部と前記閉塞部材との接合部の一部を把持した状態で、前記Ｔバー材に係合可能なクリップ部材若しくはクランプ部材である請求項７記載の空調用チャンバー。
【請求項１０】
前記閉塞部材の下面が、前記グリッド天井に配置される天井部材の下面と略同一平面若しくは略平行をなすように配置可能である請求項１〜９の何れかに記載の空調用チャンバー。
【請求項１１】
少なくとも一つの開口面を有する箱体状の本体部若しくは前記本体部を展開した平板状の本体部材と、前記開口面を気密状に閉塞可能な平板状の閉塞部材と、を組み合わせて前記本体部に複数のダクト連結口を有する空調用チャンバーを形成する工程と、
建物内に設けられたグリッド天井を構成する一つの格子領域内を経由して前記空調用チャンバーを前記グリッド天井の上方に配置する工程と、
前記グリッド天井の上方に配置された前記空調用チャンバーを、
前記グリッド天井を構成するＴバー材に前記空調用チャンバーの一部を当接させた状態で前記空調用チャンバーを前記Ｔバー材に載置する工程、若しくは、
前記グリッド天井を構成するＴバー材に対し、所定の係止手段を介して前記空調用チャンバーを取り付ける工程と、を備えた空調用チャンバー施工方法。
【発明の詳細な説明】
【技術分野】
【０００１】
本発明は、空調機から供給される調和空気を建物内の天井の複数個所に配置された吹出口に向かって分配供給するため天井の上方に設置される空調用チャンバー及びその施工方法に関する。
【背景技術】
【０００２】
空調機から供給される調和空気を建物内の天井の複数個所に配置された吹出口に向かって分配供給するために使用される空調用チャンバーについては、従来、様々な形状、構造を有するものが開発されているが、本発明に関連するものとして、例えば、特許文献１に記載された「空気調和用チャンバー支持構造」がある。
【０００３】
特許文献１に記載されている空気調和用チャンバーは、中空の略箱状体で形成され、当該略箱状体の各側面に、空気調和用気体を供給する供給用ダクト若しくは前記気体を空気調和対象空間側へ送出する送出用ダクトがそれぞれ接続される開口部が形成されるとともに、いずれかの向かい合う一対の側面にそれぞれ横方向に延びるスリット状の貫通孔が一または複数形成されている。
【０００４】
特許文献１に記載されている空気調和用チャンバーには突出部分が設けられていないので、搬送作業や設置作業を効率化、円滑化することができるなどの利点を有する。
【先行技術文献】
【特許文献】
【０００５】
【特許文献１】登録実用新案第３０６０４２３号公報
【発明の概要】
【発明が解決しようとする課題】
【０００６】
特許文献１に記載されている空気調和用チャンバーは、中空の略箱状体で形成されているため、保管したり、搬送したりする際の占有スペースが大である。このため、複数個の空気調和用チャンバーを貨物自動車に積載して施工現場まで搬送する場合、互いに密着状に積載したとしても、その大部分は略箱状体の中空部分で占められるので、個数の割に、多大な積載スペースを必要とする、という問題がある。
【０００７】
そこで、本発明が解決しようとする課題は、施工用資材を保管したり、搬送したりする際の占有スペースの削減及び重量の分散化を図ることができ、施工作業も容易な空調用チャンバー及び空調用チャンバー施工方法を提供することにある。
【課題を解決するための手段】
【０００８】
本発明に係る空調用チャンバーは、建物内に設けられたグリッド天井の上方に設置される空調用チャンバーであって、
少なくとも一つの開口面を有する箱体状の本体部若しくは前記本体部を展開した平板状の本体部材と、
前記本体部に開設された複数のダクト連結口と、
前記開口面を気密状に閉塞可能な平板状の閉塞部材と、を備えたことを特徴とする。
【０００９】
このような構成とすれば、箱体状の本体部（若しくは平板状の本体部材）と、閉塞部材とが別部材となり、それぞれの部材の重量は一体構造の空調用チャンバーの総重量より軽くなるので、施工現場への搬入が容易となり、施工作業を容易化することができる。
【００１０】
また、前記空調用チャンバーを構成する部材が、箱体状の本体部と平板状の閉塞部材との組み合わせである場合は、箱体状の本体部内に施工に必要な他の部材などを収容して搬送することが可能であるため、搬送中の占有スペースの削減を図ることができる。
【００１１】
一方、前記空調用チャンバーを構成する部材が、平板状の本体部材と平板状の閉塞部材との組み合わせである場合は、それぞれ部材を積層状に重ね合わせて搬送可能であるため、搬送中の占有スペースを大幅に削減することができる。
【００１２】
前記空調用チャンバーにおいては、前記本体部若しくは前記本体部材を組み立てて形成された本体部と、前記閉塞部材と、を接合する接合手段を設けることができる。
【００１３】
このような構成とすれば、少なくとも二つの別部材（本体部若しくは本体部材を組み立てて形成した本体部と閉塞部材)を接合するだけで容易に空調用チャンバーを組み立てることができるので、作業場所が限定されない。また、別部材を接合するだけで容易に空調チャンバーを組み立てることができるので、作業効率が向上する。
【００１４】
前記空調用チャンバーにおいては、前記接合手段として、クリップ部材、クランプ部材、接着剤若しくは粘着剤を使用することができる。
【００１５】
このような構成とすれば、本体部若しくは本体部材を組み立てて形成した本体部と、閉塞部材とを容易に接合することができるので、組立作業を簡易化、迅速化することができ、作業場所も限定されない。
【００１６】
クリップ部材やクランプ部材を使用した場合は、本体部と閉塞部材との間にパッキンやガスケットなどのシール部材を介在させ、本体部の一部をクリップ部材やクランプ部材で挟むだけで、容易に空調用チャンバーの組み立てができるので、組立作業を簡易化、迅速化することができ、作業場所も限定されない。
【００１７】
接着剤や粘着剤を使用した場合、これらの接合手段はシール効果を有するので、本体部と閉塞部材との間に、別途、気密処理を施す必要がなくなり、施工時の作業効率が向上する。また、空調用チャンバーの周縁に、接合部材などの接合手段が現れないので、室内側から見た天井面の意匠性が阻害されない。
【００１８】
前記空調用チャンバーにおいては、前記本体部若しくは前記本体部材を組み立てて形成された本体部の形状を、角錐台形状若しくは円錐台形状とすることができる。
【００１９】
このような構成とすれば、箱体状をした本体部内に、他の本体部の一部を順次収容していくことにより、複数の本体部を重ね合わせた状態で搬送することが可能となるため、箱体状の本体部を搬送する際の占有スペースを削減することができる。また、本体部の表面積が減少するので、本体部を形成する材料を削減することができるほか、重量及び施工スペースも削減することができる。
【００２０】
前記空調用チャンバーにおいては、前記本体部及び前記本体部材が、不燃性を有するダンボール材、グラスウール材若しくは発泡合成樹脂材を含むものとすることができる。
【００２１】
このような構成とすれば、前記本体部及び前記本体部材が金属製である場合に比べ、軽量化を図ることができ、断熱性も向上する。
【００２２】
前記空調用チャンバーにおいては、前記グリッド天井を構成する一つの格子領域内を前記空調用チャンバーが通過可能であって、
前記グリッド天井の上方に配置された前記空調用チャンバーが、
前記グリッド天井を構成するＴバー材に対し、前記空調用チャンバーの一部を当接させた状態で載置可能とすることができる。
【００２３】
このような構成とすれば、建物内の天井部分に格子状のグリッド天井を施工した後、空調用チャンバーの施工作業（例えば、グリッド天井の上方への運び込み作業、グリッド天井への取り付け作業など）を行うことが可能となるので、施工性が向上する。また、Ｔバー材に対し、係止手段を介さずに取り付け可能であるため、取り付け作業の容易化、作業効率の向上を図ることができる。さらに、係止手段なしで、Ｔバー材に載置するだけで施工可能であるため、空調用チャンバーをＴバー材に固定するための係止金具などの部材が不要であり、軽量化を図ることができ、通常の天井施工と変わらない状態に仕上げることができる。
【００２４】
前記空調用チャンバーにおいては、前記グリッド天井を構成する一つの格子領域内を前記空調用チャンバーが通過可能であって、
前記グリッド天井の上方に配置された前記空調用チャンバーが、
前記グリッド天井を構成するＴバー材に対し、所定の係止手段を介して取り付け可能とすることもできる。
【００２５】
このような構成とすれば、格子状のグリッド天井を施工した後、空調用チャンバーの施工（グリッド天井の上方への運び込み作業、グリッド天井への取り付け作業など）を行うことが可能となるので、施工性が向上する。また、Ｔバー材に対し、取り付け作業の容易化、取り付け状態の確実化、安定化を図ることができる。さらに、地震や振動などによって空調用チャンバーが設置場所から移動したり、離脱したりするのを防止することができる。
【００２６】
前記空調用チャンバーにおいては、前記係止手段として、
前記Ｔバー材と前記空調用チャンバーの本体部との間に配置され、
前記空調用チャンバーを前記Ｔバー材に向かって押圧保持する弾性部材を使用することができる。
【００２７】
このような構成とすれば、弾性部材の押圧力により空調用チャンバーをＴバー材に密着させることができるので、確実に固定することができ、地震などの災害発生時に空調用チャンバーが落下するを防止することができる。また、Ｔバー材と空調用チャンバーの本体部との間に弾性部材を介させることにより、室内側から弾性部材が見えない状態となるので、天井面の意匠性を阻害することがない。
【００２８】
前記空調用チャンバーにおいては、前記係止手段として、
前記本体部と前記閉塞部材との接合部の一部を把持した状態で、前記Ｔバー材に係合可能なクリップ部材若しくはクランプ部材を使用することもできる。
【００２９】
このような構成とすれば、別々に運搬したチャンバー構成部材（本体部若しくは本体部材を組み立てて形成した本体部及び閉塞部材)をシール部材を介して接合し、本体部と閉塞部材との接合部の一部を挟むだけで、容易に空調用チャンバーの組立と、Ｔバー材への固定（把持）とを行うことができるので、施工性が良好となる。また、クリップ部材やクランプ部材で把持するだけで、空調用チャンバーを組立てることができるので、作業場所が限定されない。
【００３０】
前記空調用チャンバーにおいては、前記閉塞部材の下面が、前記グリッド天井に配置される天井部材の下面と略同一平面若しくは略平行をなすように配置可能な構成とすることができる。
【００３１】
このような構成とすれば、空調用チャンバーをグリッド天井に設置したとき、当該空調用チャンバーを構成する閉塞部材が天井部材としての機能を発揮することが可能となるので、天井部材の使用数を削減することができる。
【００３２】
次に、本発明に係る空調用チャンバー施工方法は、
少なくとも一つの開口面を有する箱体状の本体部若しくは前記本体部を展開した平板状の本体部材と、前記開口面を気密状に閉塞可能な平板状の閉塞部材と、を組み合わせて前記本体部に複数のダクト連結口を有する空調用チャンバーを形成する工程と、
建物内に設けられたグリッド天井を構成する一つの格子領域内を経由して前記空調用チャンバーを前記グリッド天井の上方に配置する工程と、
前記グリッド天井の上方に配置された前記空調用チャンバーを、
前記グリッド天井を構成するＴバー材に前記空調用チャンバーの一部を当接させた状態で前記空調用チャンバーを前記Ｔバー材に載置する工程、若しくは、
前記グリッド天井を構成するＴバー材若しくは前記Ｔバー材を吊り下げ状に保持する建物躯体に対して所定の係止手段を介して前記空調用チャンバーを取り付ける工程と、を備えたことを特徴とする。
【００３３】
このような構成とすれば、建物内のグリッド天井に対して空調用チャンバーを施工する場合、施工用資材を保管したり、搬送したりする際の占有スペースの削減及び重量の分散化を図ることができ、施工作業を容易化することもできる。
【発明の効果】
【００３４】
本発明により、施工用資材を保管したり、搬送したりする際の占有スペースの削減及び重量の分散化を図ることができ、施工作業も容易な空調用チャンバー及び空調用チャンバーを提供することができる。
【図面の簡単な説明】
【００３５】
【図１】本発明の実施形態である空調用チャンバーを示す斜視図である。
【図２】図１に示す空調用チャンバーの分解斜視図である。
【図３】図１に示す空調用チャンバーの組み立て工程を示す矢線Ｘ方向から見た正面図である。
【図４】図１に示す空調用チャンバーの施工工程を示す一部省略斜視図である。
【図５】図１に示す空調用チャンバーの施工工程を示す一部省略斜視図である。
【図６】図５中のＡ−Ａ線における一部省略垂直断面図である。
【図７】図６中の矢線Ｂで示す領域の拡大図である。
【図８】図１に示す空調用チャンバーの施工が完了した状態を示す一部省略斜視図である。
【図９】本発明のその他の実施形態である空調用チャンバーとＴバー材との係止部分の一部を示す垂直断面図である。
【図１０】本発明のその他の実施形態である空調用チャンバーとＴバー材との係止部分の一部を示す垂直断面図である。
【図１１】本発明のその他の実施形態である空調用チャンバーとＴバー材との係止部分の一部を示す垂直断面図である。
【図１２】本発明のその他の実施形態である空調用チャンバーを示す分解斜視図である。
【図１３】図１２に示す空調用チャンバーの本体部及び前記本体部の開口面を閉塞する閉塞部材を示す斜視図である。
【図１４】本発明のその他の実施形態である空調用チャンバーを示す斜視図である。
【図１５】本発明のその他の実施形態である空調用チャンバーを構成する本体部材を示す斜視図である。
【図１６】図１５に示す本体部材を折り曲げて本体部を形成する工程を示す斜視図である。
【図１７】図１６に示す工程を経て形成された本体部及び前記本体部の開口面を閉塞する閉塞部材を示す斜視図である。
【発明を実施するための形態】
【００３６】
以下、図１〜図１７に基づいて、本発明の実施形態である空調用チャンバー１００，２００，３００，４００，５００，６００，７００及び空調用チャンバー１００の施工方法などについて説明する。
【００３７】
図１〜図８に基づいて、本発明の実施形態である空調用チャンバー１００及び空調用チャンバー１００の施工方法について説明する。図１に示す空調用チャンバー１００は、後述する図５に示すように、建物内に設けられたグリッド天井Ｇの上方に設置して使用されるものである。図１に示す空調用チャンバー１００は、図２に示すように下面側に開口面１１を有する箱体状の本体部１０と、本体部１０に開設された複数のダクト連結口１２，１３と、開口面１１を気密状に閉塞する平板状の閉塞部材２０と、を備えている。
【００３８】
本体部１０は四角錐台形状をなしており、開口面１１の外周部分にフランジ状の周縁部１４が設けられている。本体部１０は、左右両側面１０ｓ，１０ｓが１３度程度傾斜し、正面１０ｆ及び背面１０ｂが１度程度傾斜した四角錐台形状であるが、傾斜角度を限定するものではない。また、対向する一対の面（例えば、左右両側面１０ｓ，１０ｓ）が傾斜し、残りの対向する一対の面（例えば、正面１０ｆと背面１０ｂ）は平行をなすような形状とすることもできる。
【００３９】
図２，図３に示すように、本体部１０の開口面１１を閉塞部材２０で閉塞し、周縁部１４と閉塞部材２０とが重なり合った部分を複数のクリップ部材３０で挟持することによって本体部１０と閉塞部材２０とが一体化されている。クリップ部材３０は断面コ字状の弾性を有する部材である。本体部１０の周縁部１４と閉塞部材２０との間には気密保持のためのガスケットやパッキンなどのシール材（図示せず）が介在されている。
【００４０】
本体部１０及び閉塞部材２０は、グラスウール材を含む材料で形成されているが、これに限定するものではないので、不燃性を有するダンボール材若しくは発泡合成樹脂材を含む材料で形成することもできる。
【００４１】
図１に示す空調用チャンバー１００を施工する場合、図４に示すように、建物内に設けられたグリッド天井Ｇを構成する一つの格子領域Ｇ１内を経由して空調用チャンバー１００をグリッド天井Ｇの上方に運び上げる。空調用チャンバー１００は本体部１０の正面１０ｆを真上に向けた姿勢とすることにより、一つの格子領域Ｇ１内を容易に通過することができる。
【００４２】
空調用チャンバー１００をグリッド天井Ｇの上方まで運び上げたら、空調用チャンバー１００を、その設置予定場所である一つの格子領域Ｇ２の真上まで移動させ、閉塞部材２０を下方に向けるとともに、四角形状の閉塞部材２０と四角形状の格子領域Ｇ２とが同位相をなすようにし、そのままの姿勢で空調用チャンバー１００を下降させると、図５に示すように、閉塞部材２０が格子領域Ｇ２（図４参照）内に嵌り込み、空調用チャンバー１００の設置が完了する。グリッド天井Ｇにおいて、空調用チャンバー１００が設置されない部分の格子領域内にはそれぞれ天井材２が嵌め込まれている。
【００４３】
図６，図７に示すように、空調用チャンバー１００は、グリッド天井Ｇを構成するＴバー材１に空調用チャンバー１００の一部をなす閉塞部材２０の周縁部を当接させた状態でＴバー材１に載置されている。図７に示すように、Ｔバー材１は上方拡幅部１ａと、これより幅の広い下方拡幅部１ｂと、上方拡幅部１ａと下方拡幅部１ｂとを連接するウエブ１ｃとで形成されている。本実施形態においては、空調用チャンバー１００の閉塞部材２０の周縁部２０ａ及びクリップ部材３０の下面をＴバー材１の下方拡幅部１ｂの上面に当接させた状態で空調用チャンバー１００がＴバー材１に載置されている。
【００４４】
空調用チャンバー１００の設置が完了した後、図８に示すように、本体部１０の正面１０ｆに開設されたダクト連結口１２に流入ダクト３を接続し、本体部１０の左右両側面１０ｓ，１０ｓのダクト連結口１３にそれぞれ流出ダクト４を接続すると施工が完了する。流入ダクト３は空調空気を空調用チャンバー１００内へ供給するための部材であり、複数の流出ダクト４は空調用チャンバー１００内に供給された空調空気を所定の空調領域へ送り出すための部材である。
【００４５】
空調用チャンバー１００においては、箱体状の本体部１０と、閉塞部材２０とが別部材となっており、それぞれの部材の重量は完成後の空調用チャンバー１００の総重量より軽いので、施工現場への搬入が容易であり、施工作業を容易化することができる。
【００４６】
また、空調用チャンバー１００を構成する部材は、箱体状の本体部１０及び平板状の閉塞部材２０であり、箱体状の本体部１０内に施工に必要な他の部材など（クリップ部材３０、ガスケットやパッキンなどのシール材）を収容して搬送可能であるため、搬送中の占有スペースを削減することができる。
【００４７】
空調用チャンバー１００においては、本体部１０と閉塞部材２０とを接合する接合手段としてクリップ部材３０を使用したことにより、本体部１０と閉塞部材２０とを重ね合わせてクリップ部材３０で接合するだけで容易に空調用チャンバー１００組み立てることができるので、作業場所が限定されない。また、本体部１０と閉塞部材２０とをクリップ部材３０で接合するだけで容易に空調チャンバー１００を組み立てることができるので、作業効率が向上するだけでなく、組立作業を簡易化、迅速化することができる。
【００４８】
空調用チャンバー１００において、本体部１０は、下面に開口面１１を有する四角錐台形状であるため、本体部１０の内側に同形状の他の本体部１０を順次収容していくことにより、複数の本体部１０を重ね合わせた状態で搬送することができる。このため、箱体状の本体部１０を搬送する際の占有スペースを削減することができ、本体部１０の表面積が減少するので、本体部１０を形成する材料を削減することができるほか、重量及び施工スペースも削減することができる。
【００４９】
空調用チャンバー１００においては、本体部１０及び閉塞部材２０が、グラスウール材を含む材料で形成されているため、これらの部材が金属製である場合に比べ、軽量化を図ることができ、断熱性も向上する。
【００５０】
空調用チャンバー１００は、グリッド天井Ｇを構成する一つの格子領域Ｇ１内を通過可能であり、グリッド天井Ｇの上方に配置した空調用チャンバー１００はグリッド天井Ｇを構成するＴバー材１に対し、空調用チャンバー１００の一部（閉塞部材２０の周縁部２０ａ）を当接させた状態で載置することができる。
【００５１】
従って、建物内の天井部分に格子状のグリッド天井Ｇを施工した後、空調用チャンバー１００の施工作業（例えば、グリッド天井Ｇの上方への運び込み作業、グリッド天井Ｇへの取り付け作業など）を行うことができ、施工性が向上する。また、Ｔバー材１に対し、係止手段を介さずに取り付け可能であるため、取り付け作業の容易化、作業効率の向上を図ることができる。さらに、係止手段なしで、Ｔバー材１に載置するだけで施工可能であるため、空調用チャンバー１００をＴバー材１に固定するための係止金具などの部材が不要であり、軽量化を図ることができ、通常の天井施工と変わらない状態に仕上げることができる。
【００５２】
図６，図７に示すように、空調用チャンバー１００においては、閉塞部材２０は天井材２と同一材料（若しくは同等の外観を有する材料）で形成されるとともに、閉塞部材２０の下面は天井材２の下面と略平行をなすように配置されている。従って、空調用チャンバー１００をグリッド天井Ｇに設置したとき、当該空調用チャンバー１００を構成する閉塞部材２０が天井材２としての機能を発揮することができ、天井材２の使用数を削減することができる。この場合、閉塞部材２０と天井材２とが異なる材質、材料であっても、両部材の下面の外観が同等であれば良いので、閉塞部材２０の下面（室内に臨む面）に、施工場所に適した外観や色調を有する化粧紙や化粧フィルムを貼付することもできる。
【００５３】
次に、図９〜図１７に基づいて、その他の実施形態である空調用チャンバー２００，３００，４００，５００，６００，７００について説明する。なお、後述する空調用チャンバー２００，３００，４００，５００，６００，７００において、前述した空調用チャンバー１００と共通する構造、機能を有する部分については図１〜図８中に示す符号を付して説明を省略する。
【００５４】
図９に示す空調用チャンバー２００においては、本体部１０と閉塞部材２０との間にシール材Ｓ１（例えば、ガスケットやパッキンなど）を介在させ、接合手段であるクランプ部材４０で挟持するとともに、グリッド天井Ｇを構成するＴバー材１に対する空調用チャンバー２００の係止手段としてもクランプ部材４０を使用している。クランプ部材４０は、断面コ字状の二つの把持部４１，４２を有する弾性部材である。把持部４１，４２の開口方向は互いに９０度をなすように形成され、把持部４２の開口幅及び開口深さは把持部４１の開口幅及び開口深さより大である。
【００５５】
図９に示すように、本体部１０の周縁部１４と閉塞部材２０の周縁部２０ａとの積層部分をクランプ部材４０の把持部４２で把持し、Ｔバー材１の上方拡幅部１ａをクランプ部材４０の把持部４１で把持することにより、空調用チャンバー２００がグリッド天井Ｇの上方に取り付けられている。空調用チャンバー２００においては、クランプ部材４０が、本体部１０と閉塞部材２０との接合手段としての機能、及び、グリッド天井Ｇに対する空調用チャンバー２００の係止手段としての機能を兼備している。
【００５６】
空調用チャンバー２００においては、別々に運搬した本体部１０と閉塞部材２０との間にシール材Ｓ１（例えば、ガスケット、パッキンなど）を介在させて接合し、本体部１０と閉塞部材２０との接合部分と、Ｔバー材１の上方拡幅部１ａと、をそれぞれクランプ部材４０の把持部４２，４１で把持するだけで、容易に空調用チャンバー２００の組立と、Ｔバー材１への固定とを行うことができるので、施工性が良好である。また、本体部１０と閉塞部材２０との接合部分をクランプ部材４０で把持することにより、空調用チャンバー２００を組み立てることができるので、作業場所が限定されない。
【００５７】
図１０に示す空調用チャンバー３００においては、本体部１０と閉塞部材２１との接合手段として接着剤Ｓ２が使用されている。閉塞部材２１の周縁部２１ａの下面には、その全周にわたって、天井材２の外周部の下面の段差部２ｂと同様の段差部２１ｂが形成されている。グリッド天井Ｇの上方に配置された空調用チャンバー３００は、閉塞部材２１の周縁部２１ａの下面の段差部２１ｂを、グリッド天井Ｇを構成するＴバー材１の下方拡幅部１ｂに係合させた状態でＴバー材１に載置されている。
【００５８】
また、空調用チャンバー３００においては、閉塞部材２１の下面は、隣り合って配置された天井材２の下面と略同一平面をなしており、閉塞部材２１の下面は天井材２の下面と同等の外観を有する材料で形成されている。
【００５９】
次に、図１１に示す空調用チャンバー４００においては、本体部１０と閉塞部材２１との接合手段及び空調用チャンバー４００をグリッド天井Ｇに係止する手段として、断面が略「己」形状をした弾性部材４５を使用している。なお、本実施形態においても、本体部１０と閉塞部材２１との間にはガスケットやパッキンなどのシール部材(図示せず)が介在されている。弾性部材４５は、断面がコ字形状をした把持部４６と、把持部４６から延設された断面Ｌ字形状の押圧部４７とを有し、把持部４６の内側に向かって複数の係止突片４８，４９が設けられている。
【００６０】
図１１に示すように、グリッド天井ＧのＴバー材１の下方拡幅部１ｂに対し、閉塞部材２１の段差部２１ａを係合させた状態で空調用チャンバー４００をグリッド天井Ｇに載置し、弾性部材４５の押圧部４７を本体部１０の周縁部１４の上面に当接させるとともに、把持部４６でＴバー材１の上方拡幅部１ａを把持する。これにより、空調用チャンバー４００はＴバー材１に押圧保持される。
【００６１】
本実施形態においては、グリッド天井ＧのＴバー材１に対する空調用チャンバー４００の係止手段として、Ｔバー材１と空調用チャンバー４００の本体部１０の周縁部１４との間に配置され、空調用チャンバー４００をＴバー材１に向かって押圧保持する弾性部材４５を使用している。
【００６２】
これにより、弾性部材４５の押圧力により空調用チャンバー４００をＴバー材１に密着させることができるので、確実に固定することができ、地震などの災害発生時の空調用チャンバー４００の落下を防止することができる。また、Ｔバー材１と空調用チャンバー４００の本体部１０の周縁部１４との間に弾性部材４５を介在させたことにより、室内側から弾性部材４５が見えない状態となるので、天井面の意匠性を阻害することがない。
【００６３】
次に、図１２，図１３に基づいて、空調用チャンバー５００について説明する。図１２に示すように、空調用チャンバー５００は、四角錐台形状の本体部５０と、本体部５０下方の開口面（図示せず）を閉塞可能な平板形状の閉塞部材２０と、を備えている。本体部５０の上面５０ａにダクト連結口１２が開設され、本体部５０の４つの外周面５０ｂにそれぞれダクト連結口１３が開設されている。
【００６４】
組み立て前の空調用チャンバー５００は、図１３に示すように、複数の本体部５０は互いに重ね合わせた状態とすることができ、また、複数の閉塞部材２０も互いに積層状に重ね合わせた状態とすることができるので、保管、搬送の際の占有スペースを削減することができる。
【００６５】
次に、図１４に示す空調用チャンバー６００は、円錐台形状の本体部６０と、本体部６０下方の開口面（図示せず）を閉塞可能な平板形状の閉塞部材２０と、を備えている。本体部６０の上面６０ａにダクト連結口１２が開設され、本体部６０の外周面６０ｂに複数のダクト連結口１３がなど間隔に開設されている。
【００６６】
次に、図１５〜図１７に基づいて空調用チャンバー７００について説明する。図１７に示すように、空調用チャンバー７００は、箱体状の本体部７０と、本体部７０の開口面７１を閉塞可能な平板状の閉塞部材２０と、を備えている。本体部７０は、当該本体部７０を展開した平板状の本体部材７２（図１５参照）を、図１６に示す工程を経て組み立てることによって形成されている。
【００６７】
図１５に示すように、本体部材７２においては、組立後の本体部７０の正面７０ｆとなる部分にダクト連結口１２が開設され、同じく組立後の本体部７０の左右の側面７０ｓとなる部分にそれぞれ複数のダクト連結口１３が開設されている。
【００６８】
また、本体部材７２においては、本体部７０の正面７０ｆとなる部分及び背面７０ｂとなる部分の側縁にそれぞれ突片７４が形成され、本体部７０の側面７０ｓとなる部分の側縁にそれぞれ突片７４が嵌合可能な凹部７５が形成されている。
【００６９】
図１５，図１６に示すように、本体部材７２を折り目７６に沿って折り曲げ、それぞれの突片７４を凹部７５に嵌合させた後、突片７４と凹部７５との嵌合部分を含む４つの辺縁部７７に沿ってアルミ粘着テープ７８を貼着すると、図１７に示す箱体状の本体部７０が完成する。
【００７０】
本実施形態においては、図１５に示すように、平板状の本体部材７２と、閉塞部材２０（図１７参照）とが別部材となり、それぞれの部材の重量は一体構造の空調用チャンバー７００の総重量より軽いので、施工現場への搬入が容易となり、施工作業を容易化することができる。また、図１５に示すように、複数の本体部材７２は積層状に重ね合わせることができるので保管、運搬時の占有スペースを削減することができる。
【００７１】
なお、図１〜図１７に基づいて説明した実施形態に係る空調用チャンバー１００，２００，３００，４００，５００，６００，７００及び空調用チャンバー施工方法は本発明を例示するものであり、本発明に係る空調用チャンバー及び空調用チャンバー施工方法は前述した実施形態に限定されない。
【産業上の利用可能性】
【００７２】
本発明に係る空調用チャンバー及び空調用チャンバー施工方法は、建物内に配備される空調用設備の一部として建設業の分野において、広く利用することができる。
【符号の説明】
【００７３】
１  Ｔバー材
１ａ  上方拡幅部
１ｂ  下方拡幅部
１ｃ  ウェブ
２天井材
２ｂ，２１ｂ  段差部
３  流入ダクト
４  流出ダクト
１０，５０，６０，７０  本体部
１０ｆ，７０ｆ  正面
１０ｂ，７０ｂ  背面
１０ｓ，７０ｓ  側面
１１，７１  開口面
１２，１３  ダクト連結口
１４，２０ａ，２１ａ  周縁部
２０，２１  閉塞部材
３０  クリップ部材
４０  クランプ部材
４１，４２  把持部
４５  弾性部材
５０ａ，６０ａ  上面
５０ｂ，６０ｂ  外周面
４７  押圧部
４８，４９  係止突片
７２  本体部材
７４  突片
７５  凹部
７６  折り目
７７  辺縁部
７８  アルミ粘着テープ
１００，２００，３００，４００，５００，６００，７００  空調用チャンバー
Ｇ  グリッド天井
Ｇ１，Ｇ２  格子領域
Ｓ１  シール材
Ｓ２  接着剤
【図１】
2018136072.tif 000003
【図２】
2018136072.tif 000004
【図３】
2018136072.tif 000005
【図４】
2018136072.tif 000006
【図５】
2018136072.tif 000007
【図６】
2018136072.tif 000008
【図７】
2018136072.tif 000009
【図８】
2018136072.tif 000010
【図９】
2018136072.tif 000011
【図１０】
2018136072.tif 000012
【図１１】
2018136072.tif 000013
【図１２】
2018136072.tif 000014
【図１３】
2018136072.tif 000015
【図１４】
2018136072.tif 000016
【図１５】
2018136072.tif 000017
【図１６】
2018136072.tif 000018
【図１７】
2018136072.tif 000019